(57)【要約】【課題】トンネル非常用設備から防災受信盤に対して通報信号が送信され、受信された場合に、当該信号の受信を利用者に分かりやすく通知する。【解決手段】消火栓装置２は、消火栓と消火器を収容する筐体２１と、筐体２１に着脱自在に取り付けられるタブレット型端末２２を備える。タブレット型端末２２は、火災発生の通報信号を防災受信盤に送信するための通報ボタンを表示するとともに、防災受信盤により通報信号が受信されたことを通知する応答メッセージを表示する。【選択図】図２
2020163141.tif 000002
【特許請求の範囲】
【請求項１】
消火機器を収容する筺体と、
前記筺体に取り付けられる表示部であって、火災発生の通報信号を防災受信盤に送信するための通報ボタンを表示するとともに、前記防災受信盤により前記通報信号が受信されたことを通知する応答情報を表示する表示部と
を備える非常用設備。
【請求項２】
前記筺体に着脱自在に取り付けられるタブレット型端末をさらに備え、
前記タブレット型端末は前記表示部を備える
ことを特徴とする、請求項１に記載の非常用設備。
【請求項３】
前記タブレット型端末はカメラをさらに備え、
前記カメラにより撮影された画像データを、前記防災受信盤に送信する送信部をさらに備え、
前記防災受信盤は、前記送信部により送信された画像データから文字認識により文字列を抽出して出力する
ことを特徴とする、請求項２に記載の非常用設備。
【請求項４】
前記通報ボタンが選択されたことを契機として、前記筺体から前記タブレット型端末を取り外すことを可能にする機構をさらに備えることを特徴とする、請求項２又は３に記載の非常用設備。
【請求項５】
前記表示部は、赤色表示灯の画像をさらに表示することを特徴とする、請求項１乃至４のいずれか１項に記載の非常用設備。
【発明の詳細な説明】
【技術分野】
【０００１】
本発明は、トンネル非常用設備に関する。
【背景技術】
【０００２】
従来、トンネル非常用設備として、消火栓装置が知られている。消火栓装置は、一般に、その筺体内に消火栓と消火器を収容するとともに、押ボタン式通報装置と応答ランプを備えている（例えば、特許文献１参照）。この消火栓装置の押ボタン式通報装置が操作されると、通報信号が防災受信盤に送信され、送信された通報信号が防災受信盤に受信されると、消火栓装置の応答ランプが点灯するようになっている。
【先行技術文献】
【特許文献】
【０００３】
【特許文献１】特開２００５−３１８９７２号公報
【発明の概要】
【発明が解決しようとする課題】
【０００４】
しかし、従来の消火栓装置では、通報信号が防災受信盤に受信されたことが応答ランプの点灯によってのみ通知されるため、一般の利用者にとっては通報信号が防災受信盤に受信されたことが分かりづらい状態となっていた。
【０００５】
本発明は、このような事情に鑑みてなされたものであり、トンネル非常用設備から防災受信盤に通報信号が送信され、受信された場合に、当該信号が受信されたことを利用者に分かりやすく通知することを目的とする。
【課題を解決するための手段】
【０００６】
上記の課題を解決するため、本発明に係る非常用設備は、消火機器を収容する筺体と、前記筺体に取り付けられる表示部であって、火災発生の通報信号を防災受信盤に送信するための通報ボタンを表示するとともに、前記防災受信盤により前記通報信号が受信されたことを通知する応答情報を表示する表示部とを備える。
【０００７】
好ましい態様において、前記非常用設備は、前記筺体に着脱自在に取り付けられるタブレット型端末をさらに備え、前記タブレット型端末は前記表示部を備える。
【０００８】
さらに好ましい態様において、前記タブレット型端末はカメラをさらに備え、前記非常用設備は、前記カメラにより撮影された画像データを、前記防災受信盤に送信する送信部をさらに備え、前記防災受信盤は、前記送信部により送信された画像データから文字認識により文字列を抽出して出力する。
【０００９】
さらに好ましい態様において、前記非常用設備は、前記通報ボタンが選択されたことを契機として、前記筺体から前記タブレット型端末を取り外すことを可能にする機構をさらに備える。
【００１０】
さらに好ましい態様において、前記表示部は、赤色表示灯の画像をさらに表示する。
【発明の効果】
【００１１】
本発明によれば、トンネル非常用設備から防災受信盤に通報信号が送信され、受信された場合に、当該信号が受信されたことを利用者に分かりやすく通知することができる。
【図面の簡単な説明】
【００１２】
【図１】トンネル防災システムの構成の一例を示すブロック図
【図２】消火栓装置２の正面の一例を示す図
【図３】消火栓装置２の電気的構成の一例を示すブロック図
【図４】通報画面の一例を示す図
【図５】通報完了画面の一例を示す図
【図６】火災通報時の動作の一例を示すシーケンス図
【図７】通報画面の一例を示す図
【発明を実施するための形態】
【００１３】
１．実施形態
本発明の一実施形態に係るトンネル防災システムについて、図面を参照して説明する。
１−１．構成
図１は、本トンネル防災システムの構成の一例を示すブロック図である。同図に示すトンネル防災システムは、トンネル非常用設備として、火災検知器１、消火栓装置２及び防災受信盤３を備える。
【００１４】
火災検知器１は、回線を介して消火栓装置２と接続され、火災を検知すると火災信号を消火栓装置２に出力する。火災検知器１は、トンネルの側壁に、例えば５０ｍ間隔の検知区間ごとに設置される。
【００１５】
消火栓装置２は、光回線Ｌを介して防災受信盤３に接続され、防災受信盤３との間で光信号を送受信する。消火栓装置２は、トンネルの側壁に、例えば５０ｍ間隔の放水区画ごとに設置される。
【００１６】
図２は、この消火栓装置２の正面の一例を示す図である。同図に示す消火栓装置２は、大略、筐体２１と、この筐体２１に着脱自在に取り付けられるタブレット型端末２２を備える。
【００１７】
筐体２１は、直方体の形状を有し、左右に並べられた消火器格納箱２１１と消火栓格納箱２１２により構成される。消火器格納箱２１１は、直方体の形状を有し、正面に矩形の消火器扉２１１１を有する。この消火器格納箱２１１は、消火機器として消火器（図示略）を収容し、利用者は消火器扉２１１１を開くことで消火器を取り出すことができる。一方、消火栓格納箱２１２は、直方体の形状を有し、正面に矩形の消火栓扉２１２１を有する。この消火栓格納箱２１２は、消火機器として、消火栓弁と、消火栓弁開閉レバーと、先端にノズルが装着された消火栓ホースを収容する（いずれも図示略）。利用者は消火栓扉２１２１を開くことで、これらの消火機器を利用することができる。
【００１８】
タブレット型端末２２は、ディスプレイ上にタッチパネルを搭載した、指等の指示体で操作可能な携帯情報端末である。上記の消火器扉２１１１のおもて面には、このタブレット型端末２２を収容するための矩形の凹みが形成され、この凹みの開口部には、樹脂製の透明扉が設置される（いずれも図示略）。この矩形の凹みに収容されるタブレット型端末２２は、この透明扉を開くことで、操作したり持ち出したりすることが可能になる。なお、上記の凹みには、タブレット型端末２２を充電するためのクレードル（図示略）が配置されており、タブレット型端末２２はこのクレードルに着脱自在に取り付け可能となっている。
【００１９】
図３は、消火栓装置２の電気的構成の一例を示すブロック図である。同図に示すように消火栓装置２の筐体２１は、赤色表示灯２１３、消火栓スイッチ２１４、無線通信装置２１５及び信号変換器２１６を備える。この筐体２１において、信号変換器２１６は、他の構成要素と火災検知器１とに回線を介して接続される。
【００２０】
これらの構成要素のうち、無線通信装置２１５は、無線ＬＡＮアダプタである。無線通信装置２１５は、後述するタブレット型端末２２の無線通信装置２２５との間で無線通信を行う。
【００２１】
信号変換器２１６は、プロセッサとメモリを備え、メモリに記憶されるプログラムをプロセッサが実行することにより、以下の６つの動作を行う。
（１）火災検知器１から電気信号として出力される火災信号を光信号に変換して防災受信盤３に出力する。
（２）防災受信盤３から出力される、赤色表示灯２１３に対する制御信号に従って、赤色表示灯２１３の点灯を制御する。
（３）消火栓弁開閉レバーが操作されて消火栓スイッチ２１４が切り替わると、消火ポンプ制御信号を防災受信盤３に出力する。
（４）タブレット型端末２２から電気信号として出力される通報信号を光信号に変換して防災受信盤３に出力する。
（５）防災受信盤３から光信号として出力される応答信号を電気信号に変換してタブレット型端末２２に出力する。
（６）タブレット型端末２２から電気信号として出力される画像データを光信号に変換して防災受信盤３に出力する。
【００２２】
一方、図３に示す消火栓装置２のタブレット型端末２２は、プロセッサ２２１、メモリ２２２、タッチスクリーン２２３、カメラ２２４及び無線通信装置２２５を備える。これらの構成要素のうち、タッチスクリーン２２３は、液晶ディスプレイや有機ＥＬディスプレイ等の表示部と、この表示部に重ねて配置されるタッチパネルを有する。無線通信装置２２５は、無線ＬＡＮアダプタである。無線通信装置２２５は、筐体２１が備える無線通信装置２１５との間で無線通信を行う。
【００２３】
このタブレット型端末２２は、メモリ２２２に記憶されるプログラムをプロセッサ２２１が実行することにより、以下の５つの動作を行う。
（１）通報画面をタッチスクリーン２２３に常時表示させる。
図４は、通報画面の一例を示す図である。同図に示す通報画面は、火災発生の通報信号を防災受信盤３に送信するための通報ボタンＢ１と、この通報ボタンＢ１の目的を説明する説明メッセージＭ１を有する。
（２）通報ボタンＢ１の選択を検出すると、通報信号を信号変換器２１６に出力する。
（３）信号変換器２１６から出力される応答信号を受信すると、通報完了画面をタッチスクリーン２２３に表示させる。
図５は、通報完了画面の一例を示す図である。同図に示す通報完了画面は、上記の通報ボタンＢ１と、防災受信盤３により通報信号が受信されたことを通知するとともに、火元の撮影を促す応答メッセージ（言い換えると、応答情報）Ｍ２と、カメラ起動ボタンＢ２を有する。
（４）カメラ起動ボタンＢ２の選択を検出すると、カメラ２２４を起動させるとともに、撮影画面（図示略）をタッチスクリーン２２３に表示させる。
（５）火元の撮影後、送信ボタン（図示略）の選択を検出すると、撮影された画像データを信号変換器２１６に出力する。
以上が、消火栓装置２の構成についての説明である。
【００２４】
次に、防災受信盤３は、回線を介して接続される各機器を通じて、トンネル内における火災の監視と、消火のための制御を行う。特に消火栓装置２に関連して、以下の３つの動作を行う。
（１）消火栓装置２から火災信号を受信すると、消火ポンプの制御盤（図示略）に対して起動信号を出力するとともに、赤色表示灯２１３の点滅を指示する制御信号を、その消火栓装置２に対して出力する。
（２）消火栓装置２から通報信号を受信すると、消火ポンプの制御盤に対して起動信号を出力するとともに、赤色表示灯２１３の点滅を指示する制御信号を、その消火栓装置２に対して出力する。また、応答信号をその消火栓装置２に対して出力する。
（３）消火栓装置２から画像データを受信し、操作者による当該画像データの表示操作を検出すると、当該画像データを防災受信盤３のディスプレイ（図示略）に表示させる。
この防災受信盤３は、例えば通信機械室に設置される。
【００２５】
なお、防災受信盤３は、上記（１）（２）において、上記起動信号の応答として、消火ポンプの制御盤からポンプ運転応答信号を受信すると、赤色表示灯２１３の点滅を指示する制御信号を、その消火栓装置２に対して出力するようにしてもよい。
【００２６】
１−２．動作
以上説明したトンネル防災システムの動作例について説明する。以下では特に、火災通報時の動作の一例について、図６に示すシーケンス図を参照して説明する。
【００２７】
消火栓装置２のタブレット型端末２２には、通報画面（図４参照）が常時表示されている。この状況においてトンネル内で車両火災が発生し、その発見者により通報画面上の通報ボタンＢ１が選択されたものと想定する。タブレット型端末２２は、この通報ボタンＢ１の選択を検出すると（ステップＳ１）、通報信号を信号変換器２１６に出力する（ステップＳ２）。この通報信号を受信した信号変換器２１６は、この通報信号を電気信号から光信号に変換して（ステップＳ３）防災受信盤３に出力する（ステップＳ４）。この通報信号を受信した防災受信盤３は、応答信号を信号変換器２１６に対して出力する（ステップＳ５）。この応答信号を受信した信号変換器２１６は、この応答信号を光信号から電気信号に変換して（ステップＳ６）タブレット型端末２２に出力する（ステップＳ７）。この応答信号を受信したタブレット型端末２２は、通報完了画面（図５参照）をタッチスクリーン２２３に表示させる（ステップＳ８）。この通報完了画面には、防災受信盤３により通報信号が受信されたことを通知する応答メッセージＭ２が含まれる。この応答メッセージＭ２を見た通報者は、自身の通報が防災受信盤３に受信されたこと（言い換えると、自身の通報がトンネルの管理者に受け付けられたこと）を知ることができる。
【００２８】
通報信号を受信した防災受信盤３はまた、消火ポンプの制御盤に対して起動信号を出力して消火ポンプを起動させる（ステップＳ９）。その後、赤色表示灯２１３の点滅を指示する制御信号を、通報信号を出力した信号変換器２１６に対して出力する（ステップＳ１０）。この制御信号を受信した信号変換器２１６は、赤色表示灯２１３の点灯方法を常時点灯から点滅に切り替える（ステップＳ１１）。赤色表示灯２１３の点滅は、消火ポンプが運転していることを示す。
【００２９】
タブレット型端末２２に表示される上記の応答メッセージＭ２は、火元の撮影を促すメッセージでもある。このメッセージを見た通報者が、タブレット型端末２２を消火栓装置２の筐体２１から取り外し、通報完了画面上のカメラ起動ボタンＢ２を選択したと想定する。タブレット型端末２２は、このカメラ起動ボタンＢ２の選択を検出すると（ステップＳ１２）、撮影画面をタッチスクリーン２２３に表示させる（ステップＳ１３）。この撮影画面が表示されている状態において、通報者がカメラ２２４のレンズを火元に向けて撮影し、同画面上の送信ボタンを選択したと想定する。タブレット型端末２２は、この送信ボタンの選択を検出すると（ステップＳ１４）、撮影された画像データを信号変換器２１６に出力する（ステップＳ１５）。この画像データを受信した信号変換器２１６は、この画像データを電気信号から光信号に変換して（ステップＳ１６）防災受信盤３に出力する（ステップＳ１７）。この画像データを受信した防災受信盤３は、その操作者による当該画像データの表示操作を検出すると（ステップＳ１８）、当該画像データをディスプレイに表示させる（ステップＳ１９）。この画像データを見た操作者は、火元の様子を視覚的に確認することができる。
以上が、火災通報時の動作例についての説明である。
【００３０】
２．変形例
上記の実施形態は下記のように変形してもよい。下記の変形例は互いに組み合わせてもよい。
【００３１】
２−１．変形例１
上記の消火栓装置２の構成は、あくまで一例である。別の構成として、例えば、消火栓装置２の筐体２１の形状は直方体以外としてもよい。また、タブレット型端末２２は、消火器扉２１１１ではなく、消火栓扉２１２１に形成された凹みに収容するようにしてもよい。その場合、消火栓装置２は、消火器格納箱２１１を必ずしも備えなくてもよい。
【００３２】
２−２．変形例２
タブレット型端末２２の盗難を防止するための機構として、当該端末を覆う透明扉に電気錠を取り付けてもよい。そして、タブレット型端末２２上で通報ボタンＢ１が選択されたことを契機として電気錠を解錠し、当該端末を筐体２１から取り外し可能としてもよい。その場合、透明扉には、この透明扉が閉鎖された状態でも通報ボタンＢ１を選択可能とするための、通報ボタンＢ１大の貫通孔が形成される。また、通報ボタンＢ１が選択されたことを契機として電気錠を解錠するために、消火栓装置２の信号変換器２１６は、防災受信盤３から応答信号を受信することを契機として電気錠を解錠する。電気錠については、例えば特開２００９−２７０３０７号公報を参照のこと。
【００３３】
２−３．変形例３
タブレット型端末２２のカメラ２２４は、火元を撮影するだけでなく、トンネル非常用設備の点検時に点検対象を撮影するために使用されてもよい。撮影された画像データは防災受信盤３に送信して表示させることで、点検対象の設備の状態を通信機械室の要員と共有することができる。また、通報ボタンＢ１の操作時に、カメラ２２４で操作者を撮影して、防災受信盤３に送信して表示させるようにしてもよい。これにより、通報ボタンＢ１がいたずらで操作された場合に、その操作者を特定することができる。
【００３４】
２−４．変形例４
タブレット型端末２２は、必ずしもカメラ２２４を備えなくてもよい。カメラ２２４を備えない場合には、必ずしも消火栓装置２から取り外し可能である必要はないため、タブレット型端末２２は消火栓装置２の筐体２１に固定的に取り付けられてもよい。
【００３５】
２−５．変形例５
タブレット型端末２２と防災受信盤３にＶｏＩＰを利用した通話機能を備えさせ、タブレット型端末２２の利用者と通信機械室の要員との間で、光回線Ｌを介した音声通話を可能にしてもよい。
【００３６】
２−６．変形例６
タブレット型端末２２と信号変換器２１６の間の通信は、無線ＬＡＮを利用した通信に代えて、Bluetooth（登録商標）等の近距離無線通信としてもよい。
【００３７】
２−７．変形例７
防災受信盤３は、消火栓装置２から通報信号を受信したときに、当該装置の設置区画を出火エリアとして特定し、特定した出火エリアと火災発生の事実を通知する火災発生信号を各消火栓装置２に出力するようにしてもよい。この火災発生信号を受信した消火栓装置２の信号変換器２１６は、この火災発生信号を光信号から電気信号に変換してタブレット型端末２２に出力する。電気信号に変換された火災発生信号を受信したタブレット型端末２２は、火災発生の事実と出火エリアを通知する火災発生メッセージを通報画面（図４参照）上に表示する。この火災発生メッセージを見た利用者は、火災発生の事実と出火エリアを知ることができる。
なお、防災受信盤３は、火災発生の事実と出火エリアに加えて、最寄りの避難口をタブレット型端末２２に表示させるようにしてもよい。
【００３８】
また別の態様として、防災受信盤３は、最寄りの避難口に代えて、避難方向をタブレット型端末２２に表示させるようにしてもよい。ここで避難方向は、消火栓装置２の設置区画ごとに異なり、消火栓装置２の設置区画から出火エリアに向かう方向とは逆の方向が避難方向として特定される。
【００３９】
２−８．変形例８
防災受信盤３は、消火ポンプの起動後に、消火ポンプが起動したことを通知する起動完了信号を各消火栓装置２に出力するようにしてもよい。この起動完了信号を受信した消火栓装置２の信号変換器２１６は、この起動完了信号を光信号から電気信号に変換してタブレット型端末２２に出力する。電気信号に変換された起動完了信号を受信したタブレット型端末２２は、消火ポンプが起動したことを通知するポンプ起動メッセージを通報画面（図４参照）上に表示する。このポンプ起動メッセージを見た利用者は、消火ポンプが起動したことを知ることができる。
【００４０】
なお、防災受信盤３は、消火ポンプの起動後に、消火ポンプの制御盤への起動信号出力に対する応答として、当該制御盤からポンプ運転応答信号を受信すると、消火ポンプが起動したことを通知する起動完了信号を各消火栓装置２に出力するようにしてもよい。また、上記起動完了信号と、上記赤色表示灯２１３の点滅を指示する制御信号とは、同一の信号としてもよい。
【００４１】
２−９．変形例９
防災受信盤３と信号変換器２１６の間の通信は、光通信に代えて電気通信としてもよい。
【００４２】
２−１０．変形例１０
上記のトンネル防災システムを構成する火災検知器１、消火栓装置２及び防災受信盤３は、トンネル以外の一般の建物の非常用設備として設置されてもよい。
【００４３】
２−１１．変形例１１
消火栓装置２の信号変換器２１６は、消火栓弁開閉レバーが操作されて消火栓スイッチ２１４が切り替わった際に、消火栓の使用方法について説明する動画をタブレット型端末２２に表示させてもよい。
【００４４】
２−１２．変形例１２
防災受信盤３は、消火栓装置２から受信した画像データから文字認識により文字列を抽出し、出力するようにしてもよい。具体的には例えば、画像データから事故車両のナンバープレートに記載された文字列を抽出し、出力するようにしてもよい。これにより、事故車両の所有者の特定が容易になる。
【００４５】
２−１３．変形例１３
赤色表示灯２１３を消火栓装置２に備えさせるのに代えて、赤色表示灯の画像をタブレット型端末２２に表示させるようにしてもよい。図７は、この赤色表示灯の画像Ｇを含む通報画面の一例を示す図である。同図に示す通報画面は、通報ボタンＢ１と説明メッセージＭ１に加えて、赤色表示灯画像Ｇを含んでいる。この通報画面に含まれる赤色表示灯画像Ｇは、環状の形状を有し、通報ボタンＢ１を囲むように配置されている。また、この赤色表示灯画像Ｇは、点灯状態の赤色表示灯を表す画像である。この赤色表示灯画像Ｇは、図示を省略するが、通報完了画面にも含まれる。
【００４６】
この赤色表示灯画像Ｇの表示を制御するにあたり、信号変換器２１６は、防災受信盤３から光信号として出力される制御信号を受信すると、この制御信号に従って赤色表示灯２１３の点灯を制御するのに代えて、この制御信号を電気信号に変換してタブレット型端末２２に出力する。タブレット型端末２２は、この信号変換器２１６から出力される制御信号を受信すると、通報完了画面に含まれる赤色表示灯画像Ｇを点灯状態から点滅状態に変化させる。この表示の変化により、消火ポンプが運転していることを通報者に通知する。
【００４７】
以上説明したように、赤色表示灯画像Ｇをタブレット型端末２２に表示させることで、赤色表示灯２１３を消火栓装置２に備えさせる必要がなくなる。その結果、消火栓装置２の小型化が可能になり、消費電力が低減される。
【００４８】
なお、赤色表示灯画像Ｇの形状及び配置は、必ずしも図７に示した例に限られず、タッチスクリーン２２３のサイズやその他の表示要素のサイズ及び配置に応じて適宜変更されてもよい。
【符号の説明】
【００４９】
１…火災検知器、２…消火栓装置、３…防災受信盤、２１…筐体、２２…タブレット型端末、２１１…消火器格納箱、２１２…消火栓格納箱、２１３…赤色表示灯、２１４…消火栓スイッチ、２１５…無線通信装置、２１６…信号変換器、２２１…プロセッサ、２２２…メモリ、２２３…タッチスクリーン、２２４…カメラ、２２５…無線通信装置、２１１１…消火器扉、２１２１…消火栓扉、Ｂ１…通報ボタン、Ｂ２…カメラ起動ボタン、Ｇ…赤色表示灯画像、Ｌ…光回線、Ｍ１…説明メッセージ、Ｍ２…応答メッセージ
【図１】
2020163141.tif 000003
【図２】
2020163141.tif 000004
【図３】
2020163141.tif 000005
【図４】
2020163141.tif 000006
【図５】
2020163141.tif 000007
【図６】
2020163141.tif 000008
【図７】
2020163141.tif 000009